(57)【要約】      （修正有）【課題】風通路の圧力損失を低減することができ、性能を向上できる空気調和機の室内機を提供する。【解決手段】空気調和機の室内機は、ケーシング本体１と、ケーシング本体１内に配置されたターボファン３０と、ケーシング本体１内にターボファン３０の三方を囲うように配置された熱交換器と、熱交換器の両端を連結して、熱交換器と共にターボファン３０を囲う仕切板と、熱交換器に対して仕切板と反対の側に、吹出空気が下方に吹き出すように設けられた吹出口１０を備える。上記ケーシング本体１内における熱交換器から吹出口１０までの風通路の下流側が、ケーシング本体１の一辺に沿う第１風通路領域Ａａと、第１風通路領域Ａａの両端部から第２壁部１２側に向かって延びる第２風通路領域とを有する断面形状をしている。【選択図】図８
2018197633.tif 000002
【特許請求の範囲】
【請求項１】
ケーシング(１,２,３)と、
上記ケーシング(１,２,３)内に配置された遠心ファン(３０)と、
上記ケーシング(１,２,３)内に上記遠心ファン(３０)の三方を囲うように配置された熱交換器(４０,１４０)と、
上記熱交換器(４０,１４０)の両端を連結して、上記熱交換器(４０,１４０)と共に上記遠心ファン(３０)を囲う仕切部(５０)と、
上記ケーシング(１,２,３)の上記熱交換器(４０,１４０)に対して上記仕切部(５０)と反対の側に、吹出空気が下方に吹き出すように設けられた吹出口(１０)と
を備え、
上記ケーシング(１,２,３)内における上記熱交換器(４０,１４０)から上記吹出口(１０)までの風通路(Ｐ)の下流側の少なくとも一部が、上記ケーシング(１,２,３)の一辺に沿う第１風通路領域(Ａａ)と、上記第１風通路領域(Ａａ)の両端部から上記仕切部(５０)側に向かって延びる第２風通路領域(Ａｂ)とを有する断面形状をしていることを特徴とする空気調和機の室内機。
【請求項２】
請求項１に記載の空気調和機の室内機において、
上記ケーシング(１,２,３)内かつ上記熱交換器(４０,１４０)の下側に配置されたドレンパン(６０)を備え、
上記風通路(Ｐ)のうちの上記ドレンパン(６０)の上端よりも下流側の少なくとも一部が、上記第１風通路領域(Ａａ)と上記第２風通路領域(Ａｂ)とを有する断面形状をしていることを特徴とする空気調和機の室内機。
【請求項３】
請求項１または２に記載の空気調和機の室内機において、
上記吹出口(１０)は、上記ケーシング(１,２,３)の一辺に沿うように設けられた第１吹出口部(１０ａ)と、上記第１吹出口部(１０ａ)の両端部から上記仕切部(５０)側に向かって延在するように設けられた第２吹出口部(１０ｂ)とを有することを特徴とする空気調和機の室内機。
【請求項４】
請求項３に記載の空気調和機の室内機において、
上記熱交換器(４０)は、上記吹出口(１０)に対向する第１熱交換部(４１)と、その第１熱交換部(４１)の一端から延びる第２熱交換部(４２)と、その第１熱交換部(４１)の他端から延びる第３熱交換部(４３)とを有し、
上記第２,第３熱交換部(４２,４３)は、上記第１熱交換部(４１)側から先端側に向かって上記ケーシング(１,２,３)の対向する辺との間隔が徐々に狭くなっていることを特徴とする空気調和機の室内機。
【請求項５】
請求項３に記載の空気調和機の室内機において、
上記熱交換器(１４０)は、上記吹出口(１０)に対向する第１熱交換部(１４１)と、その第１熱交換部(１４１)の一端から延びる第２熱交換部(１４２)と、その第１熱交換部(１４１)の他端から延びる第３熱交換部(１４３)とを有し、
上記第２,第３熱交換部(１４２,１４３)は、上記ケーシング(１,２,３)の対向する辺と平行になるように延在していることを特徴とする空気調和機の室内機。
【請求項６】
請求項３から５までのいずれか１つに記載の空気調和機の室内機において、
上記吹出口(１０)からの吹出空気の風向を制御するフラップ(２０)を備え、
上記フラップ(２０)は、上記ケーシング(１,２,３)の一辺に沿うように設けられたフラップ本体(２０ａ)と、上記フラップ本体(２０ａ)の両端部から上記ケーシング(１,２,３)の一辺と反対の側に延びる補助フラップ(２０ｂ)とを有することを特徴とする空気調和機の室内機。
【請求項７】
請求項４または５に記載の空気調和機の室内機において、
上記吹出口(１０)の上記第２吹出口部(１０ｂ)の夫々は、上記第１吹出口部(１０ａ)側から先端部に向かって上記第２吹出口部(１０ｂ)間の距離が徐々に広くなっていることを特徴とする空気調和機の室内機。
【請求項８】
請求項４または５に記載の空気調和機の室内機において、
上記第１熱交換部(４１,１４１)と上記第２熱交換部(４２,１４２)との連結部分および上記第１熱交換部(４１,１４１)と上記第３熱交換部(４３,１４３)との連結部分が湾曲しており、
上記第１熱交換部(４１,１４１)における上記第１吹出口部(１０ａ)の長手方向と平行な接線を含む第１平面と、上記第２熱交換部(４２,１４２)の上記第１熱交換部(４１,１４１)との連結部分を除く外側面に接する第２平面と、上記熱交換器(４０)の外側面とで囲まれた領域(Ｓ１)が平面視において上記吹出口(１０)の一部と重なると共に、
上記第１熱交換部(４１,１４１)における上記第１吹出口部(１０ａ)の長手方向と平行な接線を含む上記第１平面と、上記第３熱交換部(４３,１４３)の上記第１熱交換部(４１,１４１)との連結部分を除く外側面に接する第３平面と、上記熱交換器(４０)の外側面とで囲まれた領域(Ｓ２)が平面視において上記吹出口(１０)の一部と重なることを特徴とする空気調和機の室内機。
【請求項９】
請求項４または５に記載の空気調和機の室内機において、
上記遠心ファン(３０)に対して上記吹出口(１０)と反対の方向から見た側面視において、上記第２,第３熱交換部(４２,４３)の少なくとも一部と上記吹出口(１０)の上記第２吹出口部(１０ｂ)とが重なっていることを特徴とする空気調和機の室内機。
【請求項１０】
請求項３から９までのいずれか１つに記載の空気調和機の室内機において、
上記吹出口(１０)の上記第１吹出口部(１０ａ)の延在方向のいずれか一方から見た側面視において、上記熱交換器(４０)の一部と上記吹出口(１０)の上記第２吹出口部(１０ｂ)とが重なっていることを特徴とする空気調和機の室内機。
【請求項１１】
請求項１から１０までのいずれか１つに記載の空気調和機の室内機において、
上記遠心ファン(３０)に対して上記吹出口(１０)と反対の方向から見た側面視において、上記吹出口(１０)の幅(Ｗ１)が上記熱交換器(４０)の幅(Ｗ２)よりも大きいことを特徴とする空気調和機の室内機。
【発明の詳細な説明】
【技術分野】
【０００１】
この発明は、空気調和機の室内機に関する。
【背景技術】
【０００２】
従来、空気調和機の室内機としては、コの字形状の熱交換器を備え、ターボファンにより吸い込んだ空気を熱交換器を介して三方向に吹き出すものがある(例えば、特開２００２−３４９８９０号公報(特許文献１)参照)。
【先行技術文献】
【特許文献】
【０００３】
【特許文献１】特開２００２−３４９８９０号公報
【発明の概要】
【発明が解決しようとする課題】
【０００４】
上記従来の空気調和機の室内機では、コの字形状の熱交換器の対向する熱交換部は平行に配置することが望ましい。
【０００５】
しかしながら、このようなコの字形状の熱交換器を備えた空気調和機の室内機において一方向に吹き出すようにした場合、対向する熱交換部を平行に配置すると、風通路のスペースが制限され、風通路の断面積を十分に広くすることができず、性能が低下するという問題がある。
【０００６】
そこで、この発明の課題は、簡単な構成で風通路の断面積を広げて、風通路の圧力損失を低減することができ、性能を向上できる空気調和機の室内機を提供することにある。
【課題を解決するための手段】
【０００７】
この発明の一態様に係る空気調和機の室内機は、
ケーシングと、
上記ケーシング内に配置された遠心ファンと、
上記ケーシング内に上記遠心ファンの三方を囲うように配置された熱交換器と、
上記熱交換器の両端を連結して、上記熱交換器と共に上記遠心ファンを囲う仕切部と、
上記ケーシングの上記熱交換器に対して上記仕切部と反対の側に、吹出空気が下方に吹き出すように設けられた吹出口と
を備え、
上記ケーシング内における上記熱交換器から上記吹出口までの風通路の下流側の少なくとも一部が、上記ケーシングの一辺に沿う第１風通路領域と、上記第１風通路領域の両端部から上記仕切部側に向かって延びる第２風通路領域とを有する断面形状をしていることを特徴とする。
【０００８】
上記構成によれば、ケーシング内に遠心ファンの三方を囲うように熱交換器を配置し、熱交換器から吹出口までの風通路の下流側の少なくとも一部を、ケーシングの一辺に沿う第１風通路領域と、その第１風通路領域の両端部から仕切部側に向かって延びる第２風通路領域とを有する断面形状とすることによって、簡単な構成で、風通路の断面積を広げて、風通路の圧力損失を低減することができ、性能を向上できる。
【０００９】
また、一実施形態の空気調和機の室内機では、
上記ケーシング内かつ上記熱交換器の下側に配置されたドレンパンを備え、
上記風通路のうちの上記ドレンパンの上端よりも下流側の少なくとも一部が、上記第１風通路領域と上記第２風通路領域とを有する断面形状をしている。
【００１０】
上記実施形態によれば、風通路のうちのドレンパンの上端よりも下流側の少なくとも一部を、上記第１風通路領域と上記第２風通路領域とを有する断面形状とすることによって、流路断面積が狭い風通路部分を広げることにより圧力損失を効果的に低減できる。
【００１１】
また、一実施形態の空気調和機の室内機は、
上記吹出口は、上記ケーシングの一辺に沿うように設けられた第１吹出口部と、上記第１吹出口部の両端部から上記仕切部側に向かって延在するように設けられた第２吹出口部とを有することを特徴とする。
【００１２】
上記実施形態によれば、吹出口が、ケーシングの一辺に沿うように設けられた第１吹出口部と、その第１吹出口部の両端部から仕切部側に向かって延在するように設けられた第２吹出口部とを有することによって、吹出口の面積を広げて、吹出口部分の圧力損失を低減でき、性能をさらに向上できる。
【００１３】
また、一実施形態の空気調和機の室内機では、
上記熱交換器は、上記吹出口に対向する第１熱交換部と、その第１熱交換部の一端から延びる第２熱交換部と、その第１熱交換部の他端から延びる第３熱交換部とを有し、
上記第２,第３熱交換部は、上記第１熱交換部側から先端側に向かって上記ケーシングの対向する辺との間隔が徐々に狭くなっている。
【００１４】
上記実施形態によれば、吹出口に対向する第１熱交換部の両端から延びる第２,第３熱交換部とケーシングの対向する辺との間隔を、第１熱交換部側から先端側に向かって徐々に狭くすることによって、コの字形状の熱交換器の両端間の開口側を開いて、第１熱交換部と第２熱交換部との連結部分および第１熱交換部と第３熱交換部との連結部分をケーシングの内側に寄せることにより、その空いたスペースを第２吹出口部に利用して、吹出口の面積を広げることが可能になる。
【００１５】
また、一実施形態の空気調和機の室内機では、
上記熱交換器は、上記吹出口に対向する第１熱交換部と、その第１熱交換部の一端から延びる第２熱交換部と、その第１熱交換部の他端から延びる第３熱交換部とを有し、
上記第２,第３熱交換部は、上記ケーシングの対向する辺と平行になるように延在している。
【００１６】
上記実施形態によれば、吹出口に対向する第１熱交換部の両端から延びる第２,第３熱交換部とケーシングの対向する辺とを平行にすることによって、第１熱交換部と第２熱交換部との連結部分および第１熱交換部と第３熱交換部との連結部分を湾曲または屈曲させてケーシングの内側に寄せることにより、その空いたスペースを第２吹出口部に利用して、吹出口の面積を広げることが可能になる。
【００１７】
また、一実施形態の空気調和機の室内機では、
上記吹出口からの吹出空気の風向を制御するフラップを備え、
上記フラップは、上記ケーシングの一辺に沿うように設けられたフラップ本体と、上記フラップ本体の両端部から上記ケーシングの一辺と反対の側に延びる補助フラップとを有する。
【００１８】
上記実施形態によれば、ケーシングの一辺に沿うように設けられたフラップ本体２０ａによって、第１吹出口部１０ａから吹き出す吹出空気の風向を制御できると共に、フラップ本体２０ａの両端部からケーシングの一辺と反対の側に延びる補助フラップ２０ｂによって、第２吹出口部１０ｂから吹き出す吹出空気の風向を制御できる。
【００１９】
また、一実施形態の空気調和機の室内機では、
上記吹出口の上記第２吹出口部の夫々は、上記第１吹出口部側から先端部に向かって上記第２吹出口部間の距離が徐々に広くなっている。
【００２０】
上記実施形態によれば、第１吹出口部側から先端部に向かって第２吹出口部間の距離が徐々に広くなった吹出口形状にすることによって、コの字形状の熱交換器の湾曲部分または屈曲部分によってケーシング内にできたスペースを第２吹出口部に有効利用できる。
【００２１】
また、一実施形態の空気調和機の室内機では、
上記第１熱交換部と上記第２熱交換部との連結部分および上記第１熱交換部と上記第３熱交換部との連結部分が湾曲しており、
上記第１熱交換部における上記第１吹出口部の長手方向と平行な接線を含む第１平面と、上記第２熱交換部の上記第１熱交換部との連結部分を除く外側面に接する第２平面と、上記熱交換器の外側面とで囲まれた領域が平面視において上記吹出口の一部と重なると共に、
上記第１熱交換部における上記第１吹出口部の長手方向と平行な接線を含む上記第１平面と、上記第３熱交換部の上記第１熱交換部との連結部分を除く外側面に接する第３平面と、上記熱交換器の外側面とで囲まれた領域が平面視において上記吹出口の一部と重なる。
【００２２】
上記実施形態によれば、第１熱交換部における第１吹出口部の長手方向と平行な接線を含む第１平面と、第２熱交換部の第１熱交換部との連結部分を除く外側面に接する第２平面と、熱交換器の外側面とで囲まれた領域が平面視において吹出口の一部と重なると共に、第１熱交換部における第１吹出口部の長手方向と平行な接線を含む第１平面と、第３熱交換部の第１熱交換部との連結部分を除く外側面に接する第３平面と、熱交換器の外側面とで囲まれた領域が平面視において吹出口の一部と重なる。これによって、第１熱交換部と第２熱交換部との連結部分および第１熱交換部と第３熱交換部との連結部分の外側に、吹出口に利用可能な空スペースを確保できる。
【００２３】
また、一実施形態の空気調和機の室内機では、
上記遠心ファンに対して上記吹出口と反対の方向から見た側面視において、上記第２,第３熱交換部の少なくとも一部と上記吹出口の上記第２吹出口部とが重なっている。
【００２４】
上記実施形態によれば、遠心ファンに対して吹出口と反対の方向から見た側面視において、第２,第３熱交換部の少なくとも一部と吹出口の第２吹出口部とを重ねることによって、ケーシング内のスペースを有効に利用できる。
【００２５】
また、一実施形態の空気調和機の室内機では、
上記吹出口の上記第１吹出口部の延在方向のいずれか一方から見た側面視において、上記熱交換器の一部と上記吹出口の上記第２吹出口部とが重なっている。
【００２６】
上記実施形態によれば、吹出口の第１吹出口部の延在方向のいずれか一方から見た側面視において、熱交換器の一部と吹出口の第２吹出口部とを重ねることによって、ケーシング内のスペースを有効に利用できる。
【００２７】
また、一実施形態の空気調和機の室内機では、
上記遠心ファンに対して上記吹出口と反対の方向から見た側面視において、上記吹出口の幅が上記熱交換器の幅よりも大きい。
【００２８】
上記実施形態によれば、遠心ファンに対して吹出口と反対の方向から見た側面視において、吹出口の幅を熱交換器の幅よりも大きくしたことによって、吹出口面積をさらに広げることができる。
【発明の効果】
【００２９】
以上より明らかなように、この発明によれば、ケーシング内に遠心ファンの三方を囲うように配置された熱交換器に対して仕切部と反対の側に、ケーシングの一辺に沿うように第１吹出口部を設け、その第１吹出口部の両端部から仕切部側に向かって延在するように第２吹出口部を設けることによって、簡単な構成で吹出口の面積を広げることができ、性能を向上できる。
【図面の簡単な説明】
【００３０】
【図１】図１はこの発明の第１実施形態の空気調和機の室内機を斜め下方から見た斜視図である。
【図２】図２は上記室内機を斜め上方から見た斜視図である。
【図３】図３は上記室内機の下面図である。
【図４】図４は図３のIV−IV線から見た断面図である。
【図５】図５は上記室内機のパネルやドレンパンなどを外した状態を示す下面図である。
【図６】図６は上記室内機のターボファンの中心の位置を示す図である。
【図７】図７は上記室内機のターボファンの中心の位置を示す図である。
【図８】図８は上記室内機のパネルを外した状態を示す下面図である。
【図９】図９は図５の室内機にフラップを取り付けた状態を示す下面図である。
【図１０】図１０は上記室内機のフラップを外した状態を示す下面図である。
【図１１】図１１は上記室内機の熱交換器の湾曲部分の外側領域と吹出口との関係を示す図である。
【図１２】図１２は上記室内機を側方(Ｘ方向)から見たときの熱交換器と吹出口との関係を示す図である。
【図１３】図１３は上記室内機を側方(Ｙ方向)から見たときの熱交換器と吹出口との関係を示す図である。
【図１４】図１４は上記室内機を側方(Ｘ方向)から見たときの熱交換器の幅と吹出口の幅を示す図である。
【図１５】図１５はこの発明の第２実施形態の空気調和機の室内機のパネルやドレンパンなどを外した状態を示す下面図である。
【発明を実施するための形態】
【００３１】
以下、この発明の空気調和機の室内機を図示の実施の形態により詳細に説明する。
【００３２】
〔第１実施形態〕
図１はこの発明の第１実施形態の空気調和機の室内機を斜め下方から見た斜視図を示している。この室内機は、天井埋め込み型の室内機である。
【００３３】
この第１実施形態の空気調和機の室内機は、図１に示すように、ケーシング本体１と、ケーシング本体１の下側に取り付けられた矩形状のパネル２と、パネル２に着脱可能に取り付けられたグリル３とを備えている。上記ケーシング本体１とパネル２およびグリル３でケーシングを構成している。
【００３４】
上記パネル２の長手方向の一方かつパネル２の下面に、吹出空気が下方に吹き出す吹出口１０をパネル２の短辺に沿って設けている。また、パネル２にフラップ２０を回動可能に取り付けている。図１では、フラップ２０により吹出口１０が閉じられた状態を示す。
【００３５】
また、上記ケーシング本体１の側壁から突出するようにドレンソケット７を設けている。このドレンソケット７に外部からドレンホース(図示せず)を接続する。また、配管接続部５,６を、ケーシング本体１の第２壁部１２(図５に示す)から突出するように設けている。この配管接続部５,６に、外部から冷媒配管(図示せず)を接続する。
【００３６】
なお、図１において、８は電装品部であり、１０１〜１０３は、ケーシング本体１から側方に突出するように夫々設けられた吊り金具である。
【００３７】
また、図２は上記室内機を斜め上方から見た斜視図を示しており、図２において、図１と同一の構成部には同一参照番号を付している。
【００３８】
また、図３は上記室内機の下面図を示している。図３において、図１と同一の構成部には同一参照番号を付している。
【００３９】
図３に示すように、ケーシング本体１の中央部分に吸込口１ａを設けている。この吸込口１ａとグリル３との間にフィルタ４(図４に示す)を取り付けている。
【００４０】
図４は図３のIV−IV線から見た断面図を示しており、図４において、図１〜図３と同一の構成部には同一参照番号を付している。
【００４１】
図４に示すように、ケーシング本体１内に、モータ３１により駆動されるターボファン３０を配置している。また、ケーシング本体１の吸込口１ａとターボファン３０との間にベルマウス３２を配置している。また、ケーシング本体１内かつターボファン３０の周囲に熱交換器４０と仕切板５０を配置している。さらに、ケーシング本体１内かつ熱交換器４０と仕切板５０の下側にドレンパン６０を配置している。また、ケーシング本体１内にドレンパン６０の側面および底面を覆う断熱材６１を配置している。この断熱材６１の風通路Ｐに面する側の部分６１ａは、風通路Ｐ１側に突出している(図８参照)。
【００４２】
上記ターボファン３０は、遠心ファンの一例である。また、仕切板５０は、仕切部の一例である。なお、仕切部は、ケーシングと一体に形成されていてもよい。
【００４３】
また、ケーシング本体１内に、ターボファン３０からの吹出空気をパネル２の吹出口１０に案内する通風路Ｐを形成している。
【００４４】
また、図５はパネル２やドレンパン６０などを外した状態の室内機の下面図を示している。
【００４５】
図５に示すように、ケーシング本体１は、吹出口１０(図１０に示す)側の第１壁部１１と、その第１壁部１１に対向する第２壁部１２と、第１壁部１１と第２壁部１２との間に設けられて互いに対向する第３壁部１３と第４壁部１４とを有する。図５において、１０ａは第１吹出口部、１０ｂは第２吹出口部である
【００４６】
上記熱交換器４０は、平面視において、第１熱交換部４１と、上記第１熱交換部４１に対してターボファン３０の回転方向(矢印Ｒ１)の上流側に位置する第２熱交換部４２と、上記第１熱交換部４１に対してターボファン３０の回転方向(矢印Ｒ１)の下流側に位置する第３熱交換部４３とを有する。
【００４７】
そして、円弧形状の仕切板５０を介して熱交換器４０の両端を連結して、熱交換器４０と仕切板５０によりターボファン３０を囲んでいる。仕切板５０は、外側に向かって膨出している。
【００４８】
上記熱交換器４０の第３熱交換部４３の端部に配管接続部５,６を接続している。また、ケーシング本体１内かつ仕切板５０と第２壁部１２との間の第３壁部１３側に、ドレンポンプ７０を配置している。
【００４９】
また、上記熱交換器４０の第１熱交換部４１のターボファン３０の回転方向(矢印Ｒ１)の下流側に位置する第３熱交換部４３を、第１熱交換部４１のターボファン３０の回転方向(矢印Ｒ１)の上流側に位置する第２熱交換部４２よりも短くすることによって、第３熱交換部４３の端部に、配管接続部５,６に接続される配管のスペースをケーシング本体１内に確保することができる。また、第２熱交換部４２と第３熱交換部４３を同じ長さにした場合に比べて、仕切板５０の下流側の端部とターボファン３０の外周との隙間を、仕切板５０の上流側の端部とターボファン３０の外周との隙間よりもより広くすることができる。
【００５０】
また、上記パネル２の熱交換器４０に対して仕切板５０と反対の側に吹出口１０を設けることによって、ターボファン３０からの吹出空気が、熱交換器４０を介して吹出口１０からスムーズに吹き出すことができる。
【００５１】
図６は上記室内機のターボファン３０の中心Ｏ１の位置を示しており、ターボファン３０の中心Ｏ１は、仕切板５０の両端を結ぶ線分Ｌ１の垂直二等分線Ｌ２に対して、ターボファン３０と仕切板５０との間の気流方向(矢印Ｒ２)における上流側(図６中の垂直二等分線Ｌ２の左側)に位置する。
【００５２】
これによって、熱交換器４０の開口部を覆う仕切板５０の下流側の端部とターボファン３０の外周との隙間が、仕切板５０の上流側の端部とターボファン３０の外周との隙間よりも広くなって、大きな異音が発生する仕切板５０の下流側の端部近傍の圧力が下がるので、熱交換器４０の開口部を覆う仕切板５０の端部において発生する高圧部の圧力を低減でき、異音の発生を抑制することができる。
【００５３】
本発明者は、ターボファン３０の中心Ｏ１を、仕切板５０の両端を結ぶ線分Ｌ１の垂直二等分線Ｌ２に対して、ターボファン３０と仕切板５０との間の気流方向(Ｒ２)における上流側にした条件でシミュレーションを実施した。このシミュレーションによって、仕切板５０の下流側の端部近傍の圧力が下がり、熱交換器４０の開口部を覆う仕切板５０の端部で発生する高圧部の圧力が低減されて、異音の発生を抑制することが確認できた。
【００５４】
また、図６に示すように、平面視において仕切板５０(仕切部)の両端を結ぶ線分Ｌ１よりも仕切板５０が外側に向かって膨出しており、その仕切板５０(仕切部)の両端を結ぶ線分Ｌ１と仕切板５０によって囲まれた領域にターボファン３０の一部が重なることによって、外側に向かって膨出するように湾曲した仕切板５０に沿ってターボファン３０が回転して、ターボファン３０からの吹出空気を仕切板５０がスムーズに案内すると共に、ケーシング本体１内の収納スペースを小さくできる。
【００５５】
さらに、上記ターボファン３０の中心Ｏ１の位置は、図７に示すように設定されている。上記熱交換器４０は、平面視において線対称な形状の熱交換部４０ａ(図７に示す斜線領域)を有している。この線対称な形状の熱交換部４０ａにおける対称軸Ｌ３に対して、ターボファン３０の中心Ｏ１が、ターボファン３０と仕切板５０との間の気流方向(矢印Ｒ２)における上流側(図７中の対称軸Ｌ３の左側)に位置するように、ターボファン３０を配置している。
【００５６】
ここで、熱交換器４０とケーシング本体１との位置関係については、熱交換器４０の線対称な形状の熱交換部４０ａの対称軸Ｌ３と、ケーシング本体１の長手方向の中心線が一致するように、ケーシング本体１内に熱交換器４０を配置するのが望ましい。
【００５７】
図８は上記室内機のパネル２を外した状態の下面図を示しており、図８において、図１〜図５と同一の構成部には同一参照番号を付している。また、６１はドレンパン６０(図４に示す)の側面および底面を覆う断熱材、６１ａは断熱材６１の風通路Ｐ１側に突出している部分である。
【００５８】
図８に示すように、ケーシング本体１内における熱交換器４０から吹出口１０までの風通路Ｐのドレンパン６０の上端よりも下流側を、ケーシング本体１の一辺に沿う第１風通路領域Ａａと、その第１風通路領域Ａａの両端部から第２壁部１２に向かって延びる第２風通路領域Ａｂとを有する断面形状としている(図８の斜線領域Ａ)。ここで、風通路Ｐの第１,第２風通路領域Ａａ,Ａｂを有する断面形状は、ターボファン３０の回転軸に直交する平面に沿った水平断面の形状である。
【００５９】
また、図９は図５に示す室内機にフラップ２０(斜線で示す)を取り付けた状態の下面図を示しており、図１０は上記室内機のフラップ２０を外した状態の下面図を示している。図９,図１０において、図１〜図７と同一の構成部には同一参照番号を付している。
【００６０】
図９,図１０に示すように、平面視においてコの字形状の熱交換器４０は、ケーシング本体１の第１壁部１１に平行に配置された第１熱交換部４１と、その第１熱交換部４１の一端に連なる第２熱交換部４２と、第１熱交換部４１の他端に連なる第３熱交換部４３とを備えている。
【００６１】
上記第２熱交換部４２は、第１熱交換部４１側から先端側に向かって第３壁部１３との間隔が徐々に狭くなっている。また、第３熱交換部４３は、第１熱交換部４１側から先端側に向かって第４壁部１４との間隔が徐々に狭くなっている。すなわち、熱交換器４０は、第２熱交換部４２と第３熱交換部４３との間隔が両端に向かって徐々に広がっている。
【００６２】
また、上記吹出口１０からの吹出空気の風向を制御するフラップ２０は、図９に示すように、ケーシング本体１の第１壁部１１に沿うように設けられたフラップ本体２０ａと、フラップ本体２０ａの両端部からケーシング本体１の第２壁部１２側に向かって延びる補助フラップ２０ｂとを有する。
【００６３】
また、上記吹出口１０は、図１０に示すように、ケーシング本体１の第１壁部１１(図９に示す)に沿うように設けられた長方形状の第１吹出口部１０ａと、第１吹出口部１０ａの両端部からケーシング本体１の第２壁部１２(図９に示す)に向かって延在する第２吹出口部１０ｂを設けている。ここで、吹出口１０は、図１０における斜線領域であり、パネル２に垂直な方向から見て風通路Ｐが見えている領域である。
【００６４】
上記ケーシング本体１の一辺に沿うように設けられたフラップ本体２０ａによって、第１吹出口部１０ａから吹き出す吹出空気の風向を制御できると共に、フラップ本体２０ａの両端部からケーシング本体１の一辺と反対の側に延びる補助フラップ２０ｂによって、第２吹出口部１０ｂから吹き出す吹出空気の風向を制御できる。
【００６５】
図１１は上記室内機の熱交換器４０の湾曲部分の外側領域Ｓ１,Ｓ２と吹出口１０との関係を示している。
【００６６】
図１１に示すように、第１熱交換部４１における第１吹出口部１０ａの長手方向と平行な接線Ｆ１を含む第１平面と、第２熱交換部４２の第１熱交換部４１との連結部分を除く外側面に接する接線Ｆ２を含む第２平面と、熱交換器４０の外側面とで囲まれた領域Ｓ１が平面視において吹出口１０の第２吹出口部１０ｂの一部と重なる。また、第１熱交換部４１における第１吹出口部１０ａの長手方向と平行な接線Ｆ１を含む第１平面と、第３熱交換部４３の第１熱交換部４１との連結部分を除く外側面に接する接線Ｆ３を含む第３平面と、熱交換器４０の外側面とで囲まれた領域Ｓ２が平面視において吹出口１０の第２吹出口部１０ｂの一部と重なる。
【００６７】
これによって、第１熱交換部４１と第２熱交換部４２との連結部分および第１熱交換部４１と第３熱交換部４３との連結部分の外側に、第２吹出口部１０ｂに利用可能な空スペースを確保することができる。
【００６８】
また、第１吹出口部１０ａ側から先端部に向かって第２吹出口部１０ｂ間の距離が徐々に広くなった吹出口形状にすることによって、コの字形状の熱交換器４０の湾曲部分によってケーシング本体１内にできたスペースを第２吹出口部１０ｂに有効利用できる。
【００６９】
なお、この第１実施形態では、コの字形状の熱交換器４０の第１熱交換部４１における第１吹出口部１０ａの長手方向と平行な接線Ｆ１を含む第１平面を用いたが、第１吹出口部が長方形状ではなく湾曲している場合も、第１吹出口部の中央部分に接する接線の方向を第１吹出口部の長手方向とする。
【００７０】
また、図１２は上記室内機を側方(Ｘ方向)から見たときの熱交換器４０と吹出口１０との関係を示している。図１２において、図５と同一の構成部には同一参照番号を付している。また、Ｘは第２壁部１２側の側方から見た方向であり、Ｙは第３壁部１３側の側方から見た方向である。
【００７１】
図１２に示すように、ターボファン３０に対して吹出口１０と反対の方向(Ｘ方向)から見た側面視において、第２,第３熱交換部４２,４３の領域Ｓ３,Ｓ４と吹出口１０の第２吹出口部１０ｂとを重ねることによって、ケーシング本体１内のスペースを有効に利用できる。なお、第２,第３熱交換部４２,４３全部と吹出口１０の第２吹出口部１０ｂとが重なっていてもよい。
【００７２】
また、図１３は上記室内機を側方(Ｙ方向)から見たときの熱交換器４０と吹出口１０との関係を示している。図１３において、図５と同一の構成部には同一参照番号を付している。また、Ｘは第２壁部１２側の側方から見た方向であり、Ｙは第３壁部１３側の側方から見た方向である。
【００７３】
図１３に示すように、吹出口１０の第１吹出口部１０ａの延在方向の一方(Ｙ方向)から見た側面視において、熱交換器４０の領域Ｓ５と吹出口１０の第２吹出口部１０ｂとを重ねることによって、ケーシング本体１内のスペースを有効に利用できる。
【００７４】
また、図１４は上記室内機を側方(Ｘ方向)から見たときの熱交換器４０の幅Ｗ２と吹出口１０の幅Ｗ１を示している。図１４において、図５と同一の構成部には同一参照番号を付している。また、Ｘは第２壁部１２側の側方から見た方向であり、Ｙは第３壁部１３側の側方から見た方向である。
【００７５】
図１４に示すように、ターボファン３０に対して吹出口１０と反対の方向(Ｘ方向)から見た側面視において、吹出口１０の幅Ｗ１を熱交換器４０の幅Ｗ２よりも大きくしたことによって、吹出口面積をさらに広げることができる。
【００７６】
上記構成の室内機によれば、ケーシング本体１内にターボファン３０(遠心ファン)の三方を囲うように熱交換器４０を配置し、熱交換器４０から吹出口１０までの風通路Ｐの下流側を、ケーシング本体１の一辺に沿う第１風通路領域Ａａと、その第１風通路領域Ａａの両端部から仕切部５０側に向かって延びる第２風通路領域Ａｂとを有する断面形状とすることによって、簡単な構成で、風通路Ｐの断面積を広げて、風通路Ｐの圧力損失を低減することができ、性能を向上できる。
【００７７】
また、上記風通路Ｐのうちのドレンパン６０の上端よりも下流側を、第１風通路領域Ａａと第２風通路領域Ａｂとを有する断面形状とすることによって、風通路Ｐの流路断面積が狭い部分を広げることにより圧力損失を効果的に低減できる。
【００７８】
なお、この第１実施形態では、風通路Ｐのうちのドレンパン６０の上端よりも下流側を、第１風通路領域Ａａと第２風通路領域Ａｂとを有するコの字形状の断面としたが、ケーシング内における熱交換器から吹出口までの風通路の下流側の少なくとも一部の断面が、ケーシングの一辺に沿う第１風通路領域と、第１風通路領域の両端部から仕切部側に向かって延びる第２風通路領域とを有するコの字形状であればよい。
【００７９】
また、上記吹出口１０が、ケーシング本体１の一辺に沿うように設けられた第１吹出口部１０ａと、その第１吹出口部１０ａの両端部から仕切板５０側に向かって延在するように設けられた第２吹出口部１０ｂとを有することによって、吹出口１０の面積を広げて、吹出口部分の圧力損失を低減でき、性能をさらに向上できる。
【００８０】
また、上記吹出口１０に対向する第１熱交換部４１の両端から延びる第２,第３熱交換部４２,４３とケーシング本体１の対向する辺との間隔を、第１熱交換部４１側から先端側に向かって徐々に狭くすることによって、コの字形状の熱交換器４０の両端間の開口側を開いて、第１熱交換部４１と第２熱交換部４２との連結部分および第１熱交換部４１と第３熱交換部４３との連結部分をケーシング本体１の内側に寄せることにより、その空いたスペースを第２吹出口部１０ｂに利用して、吹出口１０の面積を広げることが可能になる。
【００８１】
上記第１実施形態では、遠心ファンとしてターボファン３０を用いたが、シロッコファンなどの他の遠心ファンを用いてもよい。
【００８２】
〔第２実施形態〕
図１５はこの発明の第２実施形態の空気調和機の室内機のパネルやドレンパンなどを外した状態の下面図を示している。この第２実施形態の空気調和機の室内機は、コの字形状の熱交換器１４０を除いて第１実施形態の空気調和機の室内機と同一の構成をしており、図１〜図３を援用する。
【００８３】
この第２実施形態の空気調和機の室内機は、図１５に示すように、平面視においてコの字形状の熱交換器１４０を備えている。この熱交換器１４０は、ケーシング本体１の第１壁部１１に平行に配置された第１熱交換部１４１と、その第１熱交換部１４１の一端に連なる第２熱交換部１４２と、第１熱交換部１４１の他端に連なる第３熱交換部１４３とを備えている。第２熱交換部１４２は、第２壁部１２に対して平行になるように延在している。また、第３熱交換部１４３は、第３壁部１３に対して平行になるように延在している。
【００８４】
上記構成の室内機によれば、吹出口１０に対向する第１熱交換部１４１の両端から延びる第２,第３熱交換部１４２,１４３とケーシング本体１の対向する辺とを平行にすることによって、第１熱交換部１４１と第２熱交換部１４２との連結部分および第１熱交換部１４１と第３熱交換部１４３との連結部分を、ケーシング本体１の内側に寄せるように湾曲させることにより、その空いたスペースを第２吹出口部１０ｂに利用して、吹出口１０の面積を広げることが可能になる。第１熱交換部１４１と第２熱交換部１４２との連結部分および第１熱交換部１４１と第３熱交換部１４３との連結部分の曲率を大きくするほど、吹出口１０の面積を広げることができる。
【００８５】
上記第２実施形態の空気調和機の室内機は、第１実施形態の空気調和機の室内機と同様の効果を有する。
【００８６】
なお、ケーシング本体の形状によらず、第１熱交換部１４１の両端から延びる第２,第３熱交換部１４２,１４３が互いに平行になるように延在していればよい。
【００８７】
〔第３実施形態〕
この発明の第３実施形態の空気調和機の室内機は、熱交換器を除いて第１実施形態の空気調和機の室内機と同一の構成をしており、図１〜図５を援用する。
【００８８】
上記第１実施形態では、熱交換器４０は、第１熱交換部４１と、第１熱交換部４１の一端に連なる第２熱交換部４２と、第１熱交換部４１の他端に連なる第３熱交換部４３とを有する熱交換器４０を備えた室内機について説明したが、この第３実施形態の空気調和機の室内機は、第１熱交換部と第２熱交換部と第３熱交換部とが分割された熱交換器４０を備えている。
【００８９】
上記第３実施形態の空気調和機の室内機は、第１実施形態の空気調和機の室内機と同様の効果を有する。
【００９０】
上記第１〜第３実施形態では、ケーシング本体１とパネル２およびグリル３で構成されたケーシングを備えた室内機について説明したが、ケーシングの形状はこれに限らない。
【００９１】
また、上記第１〜第３実施形態では、コの字形状の熱交換器４０を備えた室内機について説明したが、熱交換器はこれに限らず、円弧形状やＶ字形状などの熱交換器であってもよい。
【００９２】
また、上記第１〜第３実施形態では、天井埋め込み型の室内機について説明したが、室内機はこれに限らず、天吊り型の室内機などにこの発明を適用してもよい。
【００９３】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【符号の説明】
【００９４】
１…ケーシング本体
１ａ…吸込口
２…パネル
３…グリル
４…フィルタ
５,６…配管接続部
７…ドレンソケット
８…電装品部
１０…吹出口
１１…第１壁部
１２…第２壁部
１３…第３壁部
１４…第４壁部
２０…フラップ
２０ａ…フラップ本体
２０ｂ…補助フラップ
３０…ターボファン(遠心ファン)
３１…モータ
３２…ベルマウス
４０,１４０…熱交換器
４１,１４１…第１熱交換部
４２,１４２…第２熱交換部
４３,１４３…第３熱交換部
５０…仕切板(仕切部)
６０…ドレンパン
６１…断熱材
７０…ドレンポンプ
Ｐ…風通路
【図１】
2018197633.tif 000003
【図２】
2018197633.tif 000004
【図３】
2018197633.tif 000005
【図４】
2018197633.tif 000006
【図５】
2018197633.tif 000007
【図６】
2018197633.tif 000008
【図７】
2018197633.tif 000009
【図８】
2018197633.tif 000010
【図９】
2018197633.tif 000011
【図１０】
2018197633.tif 000012
【図１１】
2018197633.tif 000013
【図１２】
2018197633.tif 000014
【図１３】
2018197633.tif 000015
【図１４】
2018197633.tif 000016
【図１５】
2018197633.tif 000017
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
ケーシング(１,２,３)と、
上記ケーシング(１,２,３)内に配置された遠心ファン(３０)と、
上記ケーシング(１,２,３)内に上記遠心ファン(３０)の三方を囲うように配置された熱交換器(４０,１４０)と、
上記熱交換器(４０,１４０)の両端を連結して、上記熱交換器(４０,１４０)と共に上記遠心ファン(３０)を囲う仕切部(５０)と、
上記ケーシング(１,２,３)の上記熱交換器(４０,１４０)に対して上記仕切部(５０)と反対の側に、吹出空気が下方に吹き出すように設けられた吹出口(１０)と
を備え、
上記ケーシング(１,２,３)内における上記熱交換器(４０,１４０)から上記吹出口(１０)までの風通路(Ｐ)の下流側の少なくとも一部が、上記ケーシング(１,２,３)の一辺に沿う単一の第１風通路領域(Ａａ)と、上記第１風通路領域(Ａａ)の両端部から上記仕切部(５０)側に向かって延びる第２風通路領域(Ａｂ)とを有するコの字形状の断面をしていることを特徴とする空気調和機の室内機。
【請求項２】
請求項１に記載の空気調和機の室内機において、
上記ケーシング(１,２,３)内かつ上記熱交換器(４０,１４０)の下側に配置されたドレンパン(６０)を備え、
上記風通路(Ｐ)のうちの上記ドレンパン(６０)の上端よりも下流側の少なくとも一部が、上記第１風通路領域(Ａａ)と上記第２風通路領域(Ａｂ)とを有する断面形状をしていることを特徴とする空気調和機の室内機。
【請求項３】
請求項１または２に記載の空気調和機の室内機において、
上記吹出口(１０)は、上記ケーシング(１,２,３)の一辺に沿うように設けられた第１吹出口部(１０ａ)と、上記第１吹出口部(１０ａ)の両端部から上記仕切部(５０)側に向かって延在するように設けられた第２吹出口部(１０ｂ)とを有することを特徴とする空気調和機の室内機。
【請求項４】
請求項３に記載の空気調和機の室内機において、
上記熱交換器(４０)は、上記吹出口(１０)に対向する第１熱交換部(４１)と、その第１熱交換部(４１)の一端から延びる第２熱交換部(４２)と、その第１熱交換部(４１)の他端から延びる第３熱交換部(４３)とを有し、
上記第２,第３熱交換部(４２,４３)は、上記第１熱交換部(４１)側から先端側に向かって上記ケーシング(１,２,３)の対向する辺との間隔が徐々に狭くなっていることを特徴とする空気調和機の室内機。
【請求項５】
請求項３に記載の空気調和機の室内機において、
上記熱交換器(１４０)は、上記吹出口(１０)に対向する第１熱交換部(１４１)と、その第１熱交換部(１４１)の一端から延びる第２熱交換部(１４２)と、その第１熱交換部(１４１)の他端から延びる第３熱交換部(１４３)とを有し、
上記第２,第３熱交換部(１４２,１４３)は、上記ケーシング(１,２,３)の対向する辺と平行になるように延在していることを特徴とする空気調和機の室内機。
【請求項６】
請求項３から５までのいずれか１つに記載の空気調和機の室内機において、
上記吹出口(１０)からの吹出空気の風向を制御するフラップ(２０)を備え、
上記フラップ(２０)は、上記ケーシング(１,２,３)の一辺に沿うように設けられたフラップ本体(２０ａ)と、上記フラップ本体(２０ａ)の両端部から上記ケーシング(１,２,３)の一辺と反対の側に延びる補助フラップ(２０ｂ)とを有することを特徴とする空気調和機の室内機。
【請求項７】
請求項４または５に記載の空気調和機の室内機において、
上記吹出口(１０)の上記第２吹出口部(１０ｂ)の夫々は、上記第１吹出口部(１０ａ)側から先端部に向かって上記第２吹出口部(１０ｂ)間の距離が徐々に広くなっていることを特徴とする空気調和機の室内機。
【請求項８】
請求項４または５に記載の空気調和機の室内機において、
上記第１熱交換部(４１,１４１)と上記第２熱交換部(４２,１４２)との連結部分および上記第１熱交換部(４１,１４１)と上記第３熱交換部(４３,１４３)との連結部分が湾曲しており、
上記第１熱交換部(４１,１４１)における上記第１吹出口部(１０ａ)の長手方向と平行な接線を含む第１平面と、上記第２熱交換部(４２,１４２)の上記第１熱交換部(４１,１４１)との連結部分を除く外側面に接する第２平面と、上記熱交換器(４０)の外側面とで囲まれた領域(Ｓ１)が平面視において上記吹出口(１０)の一部と重なると共に、
上記第１熱交換部(４１,１４１)における上記第１吹出口部(１０ａ)の長手方向と平行な接線を含む上記第１平面と、上記第３熱交換部(４３,１４３)の上記第１熱交換部(４１,１４１)との連結部分を除く外側面に接する第３平面と、上記熱交換器(４０)の外側面とで囲まれた領域(Ｓ２)が平面視において上記吹出口(１０)の一部と重なることを特徴とする空気調和機の室内機。
【請求項９】
請求項４または５に記載の空気調和機の室内機において、
上記遠心ファン(３０)に対して上記吹出口(１０)と反対の方向から見た側面視において、上記第２,第３熱交換部(４２,４３)の少なくとも一部と上記吹出口(１０)の上記第２吹出口部(１０ｂ)とが重なっていることを特徴とする空気調和機の室内機。
【請求項１０】
請求項３から９までのいずれか１つに記載の空気調和機の室内機において、
上記吹出口(１０)の上記第１吹出口部(１０ａ)の延在方向のいずれか一方から見た側面視において、上記熱交換器(４０)の一部と上記吹出口(１０)の上記第２吹出口部(１０ｂ)とが重なっていることを特徴とする空気調和機の室内機。
【請求項１１】
請求項１から１０までのいずれか１つに記載の空気調和機の室内機において、
上記遠心ファン(３０)に対して上記吹出口(１０)と反対の方向から見た側面視において、上記吹出口(１０)の幅(Ｗ１)が上記熱交換器(４０)の幅(Ｗ２)よりも大きいことを特徴とする空気調和機の室内機。
【請求項１２】
ケーシング(１,２,３)と、
上記ケーシング(１,２,３)内に配置された遠心ファン(３０)と、
上記ケーシング(１,２,３)内に上記遠心ファン(３０)の三方を囲うように配置された熱交換器(４０)と、
上記熱交換器(４０)の両端を連結して、上記熱交換器(４０)と共に上記遠心ファン(３０)を囲う仕切部(５０)と、
上記ケーシング(１,２,３)の上記熱交換器(４０)に対して上記仕切部(５０)と反対の側に、吹出空気が下方に吹き出すように設けられた吹出口(１０)と
を備え、
上記ケーシング(１,２,３)内における上記熱交換器(４０)から上記吹出口(１０)までの風通路(Ｐ)の下流側の少なくとも一部が、上記ケーシング(１,２,３)の一辺に沿う第１風通路領域(Ａａ)と、上記第１風通路領域(Ａａ)の両端部から上記仕切部(５０)側に向かって延びる第２風通路領域(Ａｂ)とを有する断面形状をしており、
上記吹出口(１０)は、上記ケーシング(１,２,３)の一辺に沿うように設けられた第１吹出口部(１０ａ)と、上記第１吹出口部(１０ａ)の両端部から上記仕切部(５０)側に向かって延在するように設けられた第２吹出口部(１０ｂ)とを有し、
上記熱交換器(４０)は、上記吹出口(１０)に対向する第１熱交換部(４１)と、その第１熱交換部(４１)の一端から延びる第２熱交換部(４２)と、その第１熱交換部(４１)の他端から延びる第３熱交換部(４３)とを有し、
上記第２,第３熱交換部(４２,４３)は、上記第１熱交換部(４１)側から先端側に向かって上記ケーシング(１,２,３)の対向する辺との間隔が徐々に狭くなっていると共に、
上記第１熱交換部(４１)と上記第２熱交換部(４２)との連結部分および上記第１熱交換部(４１)と上記第３熱交換部(４３)との連結部分が湾曲しており、
上記第１熱交換部(４１)における上記第１吹出口部(１０ａ)の長手方向と平行な接線を含む第１平面と、上記第２熱交換部(４２)の上記第１熱交換部(４１)との連結部分を除く外側面に接する第２平面と、上記熱交換器(４０)の外側面とで囲まれた領域(Ｓ１)が平面視において上記吹出口(１０)の一部と重なると共に、
上記第１熱交換部(４１)における上記第１吹出口部(１０ａ)の長手方向と平行な接線を含む上記第１平面と、上記第３熱交換部(４３)の上記第１熱交換部(４１)との連結部分を除く外側面に接する第３平面と、上記熱交換器(４０)の外側面とで囲まれた領域(Ｓ２)が平面視において上記吹出口(１０)の一部と重なることを特徴とする空気調和機の室内機。
【請求項１３】
ケーシング(１,２,３)と、
上記ケーシング(１,２,３)内に配置された遠心ファン(３０)と、
上記ケーシング(１,２,３)内に上記遠心ファン(３０)の三方を囲うように配置された熱交換器(１４０)と、
上記熱交換器(１４０)の両端を連結して、上記熱交換器(１４０)と共に上記遠心ファン(３０)を囲う仕切部(５０)と、
上記ケーシング(１,２,３)の上記熱交換器(１４０)に対して上記仕切部(５０)と反対の側に、吹出空気が下方に吹き出すように設けられた吹出口(１０)と
を備え、
上記ケーシング(１,２,３)内における上記熱交換器(１４０)から上記吹出口(１０)までの風通路(Ｐ)の下流側の少なくとも一部が、上記ケーシング(１,２,３)の一辺に沿う第１風通路領域(Ａａ)と、上記第１風通路領域(Ａａ)の両端部から上記仕切部(５０)側に向かって延びる第２風通路領域(Ａｂ)とを有する断面形状をしており、
上記吹出口(１０)は、上記ケーシング(１,２,３)の一辺に沿うように設けられた第１吹出口部(１０ａ)と、上記第１吹出口部(１０ａ)の両端部から上記仕切部(５０)側に向かって延在するように設けられた第２吹出口部(１０ｂ)とを有し、
上記熱交換器(１４０)は、上記吹出口(１０)に対向する第１熱交換部(１４１)と、その第１熱交換部(１４１)の一端から延びる第２熱交換部(１４２)と、その第１熱交換部(１４１)の他端から延びる第３熱交換部(１４３)とを有し、
上記第２,第３熱交換部(１４２,１４３)は、上記ケーシング(１,２,３)の対向する辺と平行になるように延在していると共に、
上記第１熱交換部(１４１)と上記第２熱交換部(１４２)との連結部分および上記第１熱交換部(１４１)と上記第３熱交換部(１４３)との連結部分が湾曲しており、
上記第１熱交換部(１４１)における上記第１吹出口部(１０ａ)の長手方向と平行な接線を含む第１平面と、上記第２熱交換部(１４２)の上記第１熱交換部(１４１)との連結部分を除く外側面に接する第２平面と、上記熱交換器(１４０)の外側面とで囲まれた領域(Ｓ１)が平面視において上記吹出口(１０)の一部と重なると共に、
上記第１熱交換部(１４１)における上記第１吹出口部(１０ａ)の長手方向と平行な接線を含む上記第１平面と、上記第３熱交換部(１４３)の上記第１熱交換部(１４１)との連結部分を除く外側面に接する第３平面と、上記熱交換器(１４０)の外側面とで囲まれた領域(Ｓ２)が平面視において上記吹出口(１０)の一部と重なることを特徴とする空気調和機の室内機。
【手続補正２】
【補正対象書類名】明細書
【補正対象項目名】全文
【補正方法】変更
【補正の内容】
【発明の詳細な説明】
【技術分野】
【０００１】
この発明は、空気調和機の室内機に関する。
【背景技術】
【０００２】
従来、空気調和機の室内機としては、コの字形状の熱交換器を備え、ターボファンにより吸い込んだ空気を熱交換器を介して三方向に吹き出すものがある(例えば、特開２００２−３４９８９０号公報(特許文献１)参照)。
【先行技術文献】
【特許文献】
【０００３】
【特許文献１】特開２００２−３４９８９０号公報
【発明の概要】
【発明が解決しようとする課題】
【０００４】
上記従来の空気調和機の室内機では、コの字形状の熱交換器の対向する熱交換部は平行に配置することが望ましい。
【０００５】
しかしながら、このようなコの字形状の熱交換器を備えた空気調和機の室内機において一方向に吹き出すようにした場合、対向する熱交換部を平行に配置すると、風通路のスペースが制限され、風通路の断面積を十分に広くすることができず、性能が低下するという問題がある。
【０００６】
そこで、この発明の課題は、簡単な構成で風通路の断面積を広げて、風通路の圧力損失を低減することができ、性能を向上できる空気調和機の室内機を提供することにある。
【課題を解決するための手段】
【０００７】
この発明の一態様に係る空気調和機の室内機は、
ケーシングと、
上記ケーシング内に配置された遠心ファンと、
上記ケーシング内に上記遠心ファンの三方を囲うように配置された熱交換器と、
上記熱交換器の両端を連結して、上記熱交換器と共に上記遠心ファンを囲う仕切部と、
上記ケーシングの上記熱交換器に対して上記仕切部と反対の側に、吹出空気が下方に吹き出すように設けられた吹出口と
を備え、
上記ケーシング内における上記熱交換器から上記吹出口までの風通路の下流側の少なくとも一部が、上記ケーシングの一辺に沿う単一の第１風通路領域と、上記第１風通路領域の両端部から上記仕切部側に向かって延びる第２風通路領域とを有するコの字形状の断面をしていることを特徴とする。
【０００８】
上記構成によれば、ケーシング内に遠心ファンの三方を囲うように熱交換器を配置し、熱交換器から吹出口までの風通路の下流側の少なくとも一部を、ケーシングの一辺に沿う単一の第１風通路領域と、その第１風通路領域の両端部から仕切部側に向かって延びる第２風通路領域とを有するコの字形状の断面とすることによって、簡単な構成で、風通路の断面積を広げて、風通路の圧力損失を低減することができ、性能を向上できる。
【０００９】
また、一実施形態の空気調和機の室内機では、
上記ケーシング内かつ上記熱交換器の下側に配置されたドレンパンを備え、
上記風通路のうちの上記ドレンパンの上端よりも下流側の少なくとも一部が、上記第１風通路領域と上記第２風通路領域とを有する断面形状をしている。
【００１０】
上記実施形態によれば、風通路のうちのドレンパンの上端よりも下流側の少なくとも一部を、上記第１風通路領域と上記第２風通路領域とを有する断面形状とすることによって、流路断面積が狭い風通路部分を広げることにより圧力損失を効果的に低減できる。
【００１１】
また、一実施形態の空気調和機の室内機は、
上記吹出口は、上記ケーシングの一辺に沿うように設けられた第１吹出口部と、上記第１吹出口部の両端部から上記仕切部側に向かって延在するように設けられた第２吹出口部とを有することを特徴とする。
【００１２】
上記実施形態によれば、吹出口が、ケーシングの一辺に沿うように設けられた第１吹出口部と、その第１吹出口部の両端部から仕切部側に向かって延在するように設けられた第２吹出口部とを有することによって、吹出口の面積を広げて、吹出口部分の圧力損失を低減でき、性能をさらに向上できる。
【００１３】
また、一実施形態の空気調和機の室内機では、
上記熱交換器は、上記吹出口に対向する第１熱交換部と、その第１熱交換部の一端から延びる第２熱交換部と、その第１熱交換部の他端から延びる第３熱交換部とを有し、
上記第２,第３熱交換部は、上記第１熱交換部側から先端側に向かって上記ケーシングの対向する辺との間隔が徐々に狭くなっている。
【００１４】
上記実施形態によれば、吹出口に対向する第１熱交換部の両端から延びる第２,第３熱交換部とケーシングの対向する辺との間隔を、第１熱交換部側から先端側に向かって徐々に狭くすることによって、コの字形状の熱交換器の両端間の開口側を開いて、第１熱交換部と第２熱交換部との連結部分および第１熱交換部と第３熱交換部との連結部分をケーシングの内側に寄せることにより、その空いたスペースを第２吹出口部に利用して、吹出口の面積を広げることが可能になる。
【００１５】
また、一実施形態の空気調和機の室内機では、
上記熱交換器は、上記吹出口に対向する第１熱交換部と、その第１熱交換部の一端から延びる第２熱交換部と、その第１熱交換部の他端から延びる第３熱交換部とを有し、
上記第２,第３熱交換部は、上記ケーシングの対向する辺と平行になるように延在している。
【００１６】
上記実施形態によれば、吹出口に対向する第１熱交換部の両端から延びる第２,第３熱交換部とケーシングの対向する辺とを平行にすることによって、第１熱交換部と第２熱交換部との連結部分および第１熱交換部と第３熱交換部との連結部分を湾曲または屈曲させてケーシングの内側に寄せることにより、その空いたスペースを第２吹出口部に利用して、吹出口の面積を広げることが可能になる。
【００１７】
また、一実施形態の空気調和機の室内機では、
上記吹出口からの吹出空気の風向を制御するフラップを備え、
上記フラップは、上記ケーシングの一辺に沿うように設けられたフラップ本体と、上記フラップ本体の両端部から上記ケーシングの一辺と反対の側に延びる補助フラップとを有する。
【００１８】
上記実施形態によれば、ケーシングの一辺に沿うように設けられたフラップ本体２０ａによって、第１吹出口部１０ａから吹き出す吹出空気の風向を制御できると共に、フラップ本体２０ａの両端部からケーシングの一辺と反対の側に延びる補助フラップ２０ｂによって、第２吹出口部１０ｂから吹き出す吹出空気の風向を制御できる。
【００１９】
また、一実施形態の空気調和機の室内機では、
上記吹出口の上記第２吹出口部の夫々は、上記第１吹出口部側から先端部に向かって上記第２吹出口部間の距離が徐々に広くなっている。
【００２０】
上記実施形態によれば、第１吹出口部側から先端部に向かって第２吹出口部間の距離が徐々に広くなった吹出口形状にすることによって、コの字形状の熱交換器の湾曲部分または屈曲部分によってケーシング内にできたスペースを第２吹出口部に有効利用できる。
【００２１】
また、一実施形態の空気調和機の室内機では、
上記第１熱交換部と上記第２熱交換部との連結部分および上記第１熱交換部と上記第３熱交換部との連結部分が湾曲しており、
上記第１熱交換部における上記第１吹出口部の長手方向と平行な接線を含む第１平面と、上記第２熱交換部の上記第１熱交換部との連結部分を除く外側面に接する第２平面と、上記熱交換器の外側面とで囲まれた領域が平面視において上記吹出口の一部と重なると共に、
上記第１熱交換部における上記第１吹出口部の長手方向と平行な接線を含む上記第１平面と、上記第３熱交換部の上記第１熱交換部との連結部分を除く外側面に接する第３平面と、上記熱交換器の外側面とで囲まれた領域が平面視において上記吹出口の一部と重なる。
【００２２】
上記実施形態によれば、第１熱交換部における第１吹出口部の長手方向と平行な接線を含む第１平面と、第２熱交換部の第１熱交換部との連結部分を除く外側面に接する第２平面と、熱交換器の外側面とで囲まれた領域が平面視において吹出口の一部と重なると共に、第１熱交換部における第１吹出口部の長手方向と平行な接線を含む第１平面と、第３熱交換部の第１熱交換部との連結部分を除く外側面に接する第３平面と、熱交換器の外側面とで囲まれた領域が平面視において吹出口の一部と重なる。これによって、第１熱交換部と第２熱交換部との連結部分および第１熱交換部と第３熱交換部との連結部分の外側に、吹出口に利用可能な空スペースを確保できる。
【００２３】
また、一実施形態の空気調和機の室内機では、
上記遠心ファンに対して上記吹出口と反対の方向から見た側面視において、上記第２,第３熱交換部の少なくとも一部と上記吹出口の上記第２吹出口部とが重なっている。
【００２４】
上記実施形態によれば、遠心ファンに対して吹出口と反対の方向から見た側面視において、第２,第３熱交換部の少なくとも一部と吹出口の第２吹出口部とを重ねることによって、ケーシング内のスペースを有効に利用できる。
【００２５】
また、一実施形態の空気調和機の室内機では、
上記吹出口の上記第１吹出口部の延在方向のいずれか一方から見た側面視において、上記熱交換器の一部と上記吹出口の上記第２吹出口部とが重なっている。
【００２６】
上記実施形態によれば、吹出口の第１吹出口部の延在方向のいずれか一方から見た側面視において、熱交換器の一部と吹出口の第２吹出口部とを重ねることによって、ケーシング内のスペースを有効に利用できる。
【００２７】
また、一実施形態の空気調和機の室内機では、
上記遠心ファンに対して上記吹出口と反対の方向から見た側面視において、上記吹出口の幅が上記熱交換器の幅よりも大きい。
【００２８】
上記実施形態によれば、遠心ファンに対して吹出口と反対の方向から見た側面視において、吹出口の幅を熱交換器の幅よりも大きくしたことによって、吹出口面積をさらに広げることができる。
また、この発明の空気調和機の室内機では、
ケーシングと、
上記ケーシング内に配置された遠心ファンと、
上記ケーシング内に上記遠心ファンの三方を囲うように配置された熱交換器と、
上記熱交換器の両端を連結して、上記熱交換器と共に上記遠心ファンを囲う仕切部と、
上記ケーシングの上記熱交換器に対して上記仕切部と反対の側に、吹出空気が下方に吹き出すように設けられた吹出口と
を備え、
上記ケーシング内における上記熱交換器から上記吹出口までの風通路の下流側の少なくとも一部が、上記ケーシングの一辺に沿う第１風通路領域と、上記第１風通路領域の両端部から上記仕切部側に向かって延びる第２風通路領域とを有する断面形状をしており、
上記吹出口は、上記ケーシングの一辺に沿うように設けられた第１吹出口部と、上記第１吹出口部の両端部から上記仕切部側に向かって延在するように設けられた第２吹出口部とを有し、
上記熱交換器は、上記吹出口に対向する第１熱交換部と、その第１熱交換部の一端から延びる第２熱交換部と、その第１熱交換部の他端から延びる第３熱交換部とを有し、
上記第２,第３熱交換部は、上記第１熱交換部側から先端側に向かって上記ケーシングの対向する辺との間隔が徐々に狭くなっていると共に、
上記第１熱交換部と上記第２熱交換部との連結部分および上記第１熱交換部と上記第３熱交換部との連結部分が湾曲しており、
上記第１熱交換部における上記第１吹出口部の長手方向と平行な接線を含む第１平面と、上記第２熱交換部の上記第１熱交換部との連結部分を除く外側面に接する第２平面と、上記熱交換器の外側面とで囲まれた領域が平面視において上記吹出口の一部と重なると共に、
上記第１熱交換部における上記第１吹出口部の長手方向と平行な接線を含む上記第１平面と、上記第３熱交換部の上記第１熱交換部との連結部分を除く外側面に接する第３平面と、上記熱交換器の外側面とで囲まれた領域が平面視において上記吹出口の一部と重なることを特徴とする。
また、この発明の空気調和機の室内機では、
ケーシングと、
上記ケーシング内に配置された遠心ファンと、
上記ケーシング内に上記遠心ファンの三方を囲うように配置された熱交換器と、
上記熱交換器の両端を連結して、上記熱交換器と共に上記遠心ファンを囲う仕切部と、
上記ケーシングの上記熱交換器に対して上記仕切部と反対の側に、吹出空気が下方に吹き出すように設けられた吹出口と
を備え、
上記ケーシング内における上記熱交換器から上記吹出口までの風通路の下流側の少なくとも一部が、上記ケーシングの一辺に沿う第１風通路領域と、上記第１風通路領域の両端部から上記仕切部側に向かって延びる第２風通路領域とを有する断面形状をしており、
上記吹出口は、上記ケーシングの一辺に沿うように設けられた第１吹出口部と、上記第１吹出口部の両端部から上記仕切部側に向かって延在するように設けられた第２吹出口部とを有し、
上記熱交換器は、上記吹出口に対向する第１熱交換部と、その第１熱交換部の一端から延びる第２熱交換部と、その第１熱交換部の他端から延びる第３熱交換部とを有し、
上記第２,第３熱交換部は、上記ケーシングの対向する辺と平行になるように延在していると共に、
上記第１熱交換部と上記第２熱交換部との連結部分および上記第１熱交換部と上記第３熱交換部との連結部分が湾曲しており、
上記第１熱交換部における上記第１吹出口部の長手方向と平行な接線を含む第１平面と、上記第２熱交換部の上記第１熱交換部との連結部分を除く外側面に接する第２平面と、上記熱交換器の外側面とで囲まれた領域が平面視において上記吹出口の一部と重なると共に、
上記第１熱交換部における上記第１吹出口部の長手方向と平行な接線を含む上記第１平面と、上記第３熱交換部の上記第１熱交換部との連結部分を除く外側面に接する第３平面と、上記熱交換器の外側面とで囲まれた領域が平面視において上記吹出口の一部と重なることを特徴とする。
【発明の効果】
【００２９】
以上より明らかなように、この発明によれば、ケーシング内に遠心ファンの三方を囲うように配置された熱交換器に対して仕切部と反対の側に、ケーシングの一辺に沿うように第１吹出口部を設け、その第１吹出口部の両端部から仕切部側に向かって延在するように第２吹出口部を設けることによって、簡単な構成で吹出口の面積を広げることができ、性能を向上できる。
【図面の簡単な説明】
【００３０】
【図１】図１はこの発明の第１実施形態の空気調和機の室内機を斜め下方から見た斜視図である。
【図２】図２は上記室内機を斜め上方から見た斜視図である。
【図３】図３は上記室内機の下面図である。
【図４】図４は図３のIV−IV線から見た断面図である。
【図５】図５は上記室内機のパネルやドレンパンなどを外した状態を示す下面図である。
【図６】図６は上記室内機のターボファンの中心の位置を示す図である。
【図７】図７は上記室内機のターボファンの中心の位置を示す図である。
【図８】図８は上記室内機のパネルを外した状態を示す下面図である。
【図９】図９は図５の室内機にフラップを取り付けた状態を示す下面図である。
【図１０】図１０は上記室内機のフラップを外した状態を示す下面図である。
【図１１】図１１は上記室内機の熱交換器の湾曲部分の外側領域と吹出口との関係を示す図である。
【図１２】図１２は上記室内機を側方(Ｘ方向)から見たときの熱交換器と吹出口との関係を示す図である。
【図１３】図１３は上記室内機を側方(Ｙ方向)から見たときの熱交換器と吹出口との関係を示す図である。
【図１４】図１４は上記室内機を側方(Ｘ方向)から見たときの熱交換器の幅と吹出口の幅を示す図である。
【図１５】図１５はこの発明の第２実施形態の空気調和機の室内機のパネルやドレンパンなどを外した状態を示す下面図である。
【発明を実施するための形態】
【００３１】
以下、この発明の空気調和機の室内機を図示の実施の形態により詳細に説明する。
【００３２】
〔第１実施形態〕
図１はこの発明の第１実施形態の空気調和機の室内機を斜め下方から見た斜視図を示している。この室内機は、天井埋め込み型の室内機である。
【００３３】
この第１実施形態の空気調和機の室内機は、図１に示すように、ケーシング本体１と、ケーシング本体１の下側に取り付けられた矩形状のパネル２と、パネル２に着脱可能に取り付けられたグリル３とを備えている。上記ケーシング本体１とパネル２およびグリル３でケーシングを構成している。
【００３４】
上記パネル２の長手方向の一方かつパネル２の下面に、吹出空気が下方に吹き出す吹出口１０をパネル２の短辺に沿って設けている。また、パネル２にフラップ２０を回動可能に取り付けている。図１では、フラップ２０により吹出口１０が閉じられた状態を示す。
【００３５】
また、上記ケーシング本体１の側壁から突出するようにドレンソケット７を設けている。このドレンソケット７に外部からドレンホース(図示せず)を接続する。また、配管接続部５,６を、ケーシング本体１の第２壁部１２(図５に示す)から突出するように設けている。この配管接続部５,６に、外部から冷媒配管(図示せず)を接続する。
【００３６】
なお、図１において、８は電装品部であり、１０１〜１０３は、ケーシング本体１から側方に突出するように夫々設けられた吊り金具である。
【００３７】
また、図２は上記室内機を斜め上方から見た斜視図を示しており、図２において、図１と同一の構成部には同一参照番号を付している。
【００３８】
また、図３は上記室内機の下面図を示している。図３において、図１と同一の構成部には同一参照番号を付している。
【００３９】
図３に示すように、ケーシング本体１の中央部分に吸込口１ａを設けている。この吸込口１ａとグリル３との間にフィルタ４(図４に示す)を取り付けている。
【００４０】
図４は図３のIV−IV線から見た断面図を示しており、図４において、図１〜図３と同一の構成部には同一参照番号を付している。
【００４１】
図４に示すように、ケーシング本体１内に、モータ３１により駆動されるターボファン３０を配置している。また、ケーシング本体１の吸込口１ａとターボファン３０との間にベルマウス３２を配置している。また、ケーシング本体１内かつターボファン３０の周囲に熱交換器４０と仕切板５０を配置している。さらに、ケーシング本体１内かつ熱交換器４０と仕切板５０の下側にドレンパン６０を配置している。また、ケーシング本体１内にドレンパン６０の側面および底面を覆う断熱材６１を配置している。この断熱材６１の風通路Ｐに面する側の部分６１ａは、風通路Ｐ１側に突出している(図８参照)。
【００４２】
上記ターボファン３０は、遠心ファンの一例である。また、仕切板５０は、仕切部の一例である。なお、仕切部は、ケーシングと一体に形成されていてもよい。
【００４３】
また、ケーシング本体１内に、ターボファン３０からの吹出空気をパネル２の吹出口１０に案内する通風路Ｐを形成している。
【００４４】
また、図５はパネル２やドレンパン６０などを外した状態の室内機の下面図を示している。
【００４５】
図５に示すように、ケーシング本体１は、吹出口１０(図１０に示す)側の第１壁部１１と、その第１壁部１１に対向する第２壁部１２と、第１壁部１１と第２壁部１２との間に設けられて互いに対向する第３壁部１３と第４壁部１４とを有する。図５において、１０ａは第１吹出口部、１０ｂは第２吹出口部である
【００４６】
上記熱交換器４０は、平面視において、第１熱交換部４１と、上記第１熱交換部４１に対してターボファン３０の回転方向(矢印Ｒ１)の上流側に位置する第２熱交換部４２と、上記第１熱交換部４１に対してターボファン３０の回転方向(矢印Ｒ１)の下流側に位置する第３熱交換部４３とを有する。
【００４７】
そして、円弧形状の仕切板５０を介して熱交換器４０の両端を連結して、熱交換器４０と仕切板５０によりターボファン３０を囲んでいる。仕切板５０は、外側に向かって膨出している。
【００４８】
上記熱交換器４０の第３熱交換部４３の端部に配管接続部５,６を接続している。また、ケーシング本体１内かつ仕切板５０と第２壁部１２との間の第３壁部１３側に、ドレンポンプ７０を配置している。
【００４９】
また、上記熱交換器４０の第１熱交換部４１のターボファン３０の回転方向(矢印Ｒ１)の下流側に位置する第３熱交換部４３を、第１熱交換部４１のターボファン３０の回転方向(矢印Ｒ１)の上流側に位置する第２熱交換部４２よりも短くすることによって、第３熱交換部４３の端部に、配管接続部５,６に接続される配管のスペースをケーシング本体１内に確保することができる。また、第２熱交換部４２と第３熱交換部４３を同じ長さにした場合に比べて、仕切板５０の下流側の端部とターボファン３０の外周との隙間を、仕切板５０の上流側の端部とターボファン３０の外周との隙間よりもより広くすることができる。
【００５０】
また、上記パネル２の熱交換器４０に対して仕切板５０と反対の側に吹出口１０を設けることによって、ターボファン３０からの吹出空気が、熱交換器４０を介して吹出口１０からスムーズに吹き出すことができる。
【００５１】
図６は上記室内機のターボファン３０の中心Ｏ１の位置を示しており、ターボファン３０の中心Ｏ１は、仕切板５０の両端を結ぶ線分Ｌ１の垂直二等分線Ｌ２に対して、ターボファン３０と仕切板５０との間の気流方向(矢印Ｒ２)における上流側(図６中の垂直二等分線Ｌ２の左側)に位置する。
【００５２】
これによって、熱交換器４０の開口部を覆う仕切板５０の下流側の端部とターボファン３０の外周との隙間が、仕切板５０の上流側の端部とターボファン３０の外周との隙間よりも広くなって、大きな異音が発生する仕切板５０の下流側の端部近傍の圧力が下がるので、熱交換器４０の開口部を覆う仕切板５０の端部において発生する高圧部の圧力を低減でき、異音の発生を抑制することができる。
【００５３】
本発明者は、ターボファン３０の中心Ｏ１を、仕切板５０の両端を結ぶ線分Ｌ１の垂直二等分線Ｌ２に対して、ターボファン３０と仕切板５０との間の気流方向(Ｒ２)における上流側にした条件でシミュレーションを実施した。このシミュレーションによって、仕切板５０の下流側の端部近傍の圧力が下がり、熱交換器４０の開口部を覆う仕切板５０の端部で発生する高圧部の圧力が低減されて、異音の発生を抑制することが確認できた。
【００５４】
また、図６に示すように、平面視において仕切板５０(仕切部)の両端を結ぶ線分Ｌ１よりも仕切板５０が外側に向かって膨出しており、その仕切板５０(仕切部)の両端を結ぶ線分Ｌ１と仕切板５０によって囲まれた領域にターボファン３０の一部が重なることによって、外側に向かって膨出するように湾曲した仕切板５０に沿ってターボファン３０が回転して、ターボファン３０からの吹出空気を仕切板５０がスムーズに案内すると共に、ケーシング本体１内の収納スペースを小さくできる。
【００５５】
さらに、上記ターボファン３０の中心Ｏ１の位置は、図７に示すように設定されている。上記熱交換器４０は、平面視において線対称な形状の熱交換部４０ａ(図７に示す斜線領域)を有している。この線対称な形状の熱交換部４０ａにおける対称軸Ｌ３に対して、ターボファン３０の中心Ｏ１が、ターボファン３０と仕切板５０との間の気流方向(矢印Ｒ２)における上流側(図７中の対称軸Ｌ３の左側)に位置するように、ターボファン３０を配置している。
【００５６】
ここで、熱交換器４０とケーシング本体１との位置関係については、熱交換器４０の線対称な形状の熱交換部４０ａの対称軸Ｌ３と、ケーシング本体１の長手方向の中心線が一致するように、ケーシング本体１内に熱交換器４０を配置するのが望ましい。
【００５７】
図８は上記室内機のパネル２を外した状態の下面図を示しており、図８において、図１〜図５と同一の構成部には同一参照番号を付している。また、６１はドレンパン６０(図４に示す)の側面および底面を覆う断熱材、６１ａは断熱材６１の風通路Ｐ１側に突出している部分である。
【００５８】
図８に示すように、ケーシング本体１内における熱交換器４０から吹出口１０までの風通路Ｐのドレンパン６０の上端よりも下流側を、ケーシング本体１の一辺に沿う第１風通路領域Ａａと、その第１風通路領域Ａａの両端部から第２壁部１２に向かって延びる第２風通路領域Ａｂとを有する断面形状としている(図８の斜線領域Ａ)。ここで、風通路Ｐの第１,第２風通路領域Ａａ,Ａｂを有する断面形状は、ターボファン３０の回転軸に直交する平面に沿った水平断面の形状である。
【００５９】
また、図９は図５に示す室内機にフラップ２０(斜線で示す)を取り付けた状態の下面図を示しており、図１０は上記室内機のフラップ２０を外した状態の下面図を示している。図９,図１０において、図１〜図７と同一の構成部には同一参照番号を付している。
【００６０】
図９,図１０に示すように、平面視においてコの字形状の熱交換器４０は、ケーシング本体１の第１壁部１１に平行に配置された第１熱交換部４１と、その第１熱交換部４１の一端に連なる第２熱交換部４２と、第１熱交換部４１の他端に連なる第３熱交換部４３とを備えている。
【００６１】
上記第２熱交換部４２は、第１熱交換部４１側から先端側に向かって第３壁部１３との間隔が徐々に狭くなっている。また、第３熱交換部４３は、第１熱交換部４１側から先端側に向かって第４壁部１４との間隔が徐々に狭くなっている。すなわち、熱交換器４０は、第２熱交換部４２と第３熱交換部４３との間隔が両端に向かって徐々に広がっている。
【００６２】
また、上記吹出口１０からの吹出空気の風向を制御するフラップ２０は、図９に示すように、ケーシング本体１の第１壁部１１に沿うように設けられたフラップ本体２０ａと、フラップ本体２０ａの両端部からケーシング本体１の第２壁部１２側に向かって延びる補助フラップ２０ｂとを有する。
【００６３】
また、上記吹出口１０は、図１０に示すように、ケーシング本体１の第１壁部１１(図９に示す)に沿うように設けられた長方形状の第１吹出口部１０ａと、第１吹出口部１０ａの両端部からケーシング本体１の第２壁部１２(図９に示す)に向かって延在する第２吹出口部１０ｂを設けている。ここで、吹出口１０は、図１０における斜線領域であり、パネル２に垂直な方向から見て風通路Ｐが見えている領域である。
【００６４】
上記ケーシング本体１の一辺に沿うように設けられたフラップ本体２０ａによって、第１吹出口部１０ａから吹き出す吹出空気の風向を制御できると共に、フラップ本体２０ａの両端部からケーシング本体１の一辺と反対の側に延びる補助フラップ２０ｂによって、第２吹出口部１０ｂから吹き出す吹出空気の風向を制御できる。
【００６５】
図１１は上記室内機の熱交換器４０の湾曲部分の外側領域Ｓ１,Ｓ２と吹出口１０との関係を示している。
【００６６】
図１１に示すように、第１熱交換部４１における第１吹出口部１０ａの長手方向と平行な接線Ｆ１を含む第１平面と、第２熱交換部４２の第１熱交換部４１との連結部分を除く外側面に接する接線Ｆ２を含む第２平面と、熱交換器４０の外側面とで囲まれた領域Ｓ１が平面視において吹出口１０の第２吹出口部１０ｂの一部と重なる。また、第１熱交換部４１における第１吹出口部１０ａの長手方向と平行な接線Ｆ１を含む第１平面と、第３熱交換部４３の第１熱交換部４１との連結部分を除く外側面に接する接線Ｆ３を含む第３平面と、熱交換器４０の外側面とで囲まれた領域Ｓ２が平面視において吹出口１０の第２吹出口部１０ｂの一部と重なる。
【００６７】
これによって、第１熱交換部４１と第２熱交換部４２との連結部分および第１熱交換部４１と第３熱交換部４３との連結部分の外側に、第２吹出口部１０ｂに利用可能な空スペースを確保することができる。
【００６８】
また、第１吹出口部１０ａ側から先端部に向かって第２吹出口部１０ｂ間の距離が徐々に広くなった吹出口形状にすることによって、コの字形状の熱交換器４０の湾曲部分によってケーシング本体１内にできたスペースを第２吹出口部１０ｂに有効利用できる。
【００６９】
なお、この第１実施形態では、コの字形状の熱交換器４０の第１熱交換部４１における第１吹出口部１０ａの長手方向と平行な接線Ｆ１を含む第１平面を用いたが、第１吹出口部が長方形状ではなく湾曲している場合も、第１吹出口部の中央部分に接する接線の方向を第１吹出口部の長手方向とする。
【００７０】
また、図１２は上記室内機を側方(Ｘ方向)から見たときの熱交換器４０と吹出口１０との関係を示している。図１２において、図５と同一の構成部には同一参照番号を付している。また、Ｘは第２壁部１２側の側方から見た方向であり、Ｙは第３壁部１３側の側方から見た方向である。
【００７１】
図１２に示すように、ターボファン３０に対して吹出口１０と反対の方向(Ｘ方向)から見た側面視において、第２,第３熱交換部４２,４３の領域Ｓ３,Ｓ４と吹出口１０の第２吹出口部１０ｂとを重ねることによって、ケーシング本体１内のスペースを有効に利用できる。なお、第２,第３熱交換部４２,４３全部と吹出口１０の第２吹出口部１０ｂとが重なっていてもよい。
【００７２】
また、図１３は上記室内機を側方(Ｙ方向)から見たときの熱交換器４０と吹出口１０との関係を示している。図１３において、図５と同一の構成部には同一参照番号を付している。また、Ｘは第２壁部１２側の側方から見た方向であり、Ｙは第３壁部１３側の側方から見た方向である。
【００７３】
図１３に示すように、吹出口１０の第１吹出口部１０ａの延在方向の一方(Ｙ方向)から見た側面視において、熱交換器４０の領域Ｓ５と吹出口１０の第２吹出口部１０ｂとを重ねることによって、ケーシング本体１内のスペースを有効に利用できる。
【００７４】
また、図１４は上記室内機を側方(Ｘ方向)から見たときの熱交換器４０の幅Ｗ２と吹出口１０の幅Ｗ１を示している。図１４において、図５と同一の構成部には同一参照番号を付している。また、Ｘは第２壁部１２側の側方から見た方向であり、Ｙは第３壁部１３側の側方から見た方向である。
【００７５】
図１４に示すように、ターボファン３０に対して吹出口１０と反対の方向(Ｘ方向)から見た側面視において、吹出口１０の幅Ｗ１を熱交換器４０の幅Ｗ２よりも大きくしたことによって、吹出口面積をさらに広げることができる。
【００７６】
上記構成の室内機によれば、ケーシング本体１内にターボファン３０(遠心ファン)の三方を囲うように熱交換器４０を配置し、熱交換器４０から吹出口１０までの風通路Ｐの下流側を、ケーシング本体１の一辺に沿う第１風通路領域Ａａと、その第１風通路領域Ａａの両端部から仕切部５０側に向かって延びる第２風通路領域Ａｂとを有する断面形状とすることによって、簡単な構成で、風通路Ｐの断面積を広げて、風通路Ｐの圧力損失を低減することができ、性能を向上できる。
【００７７】
また、上記風通路Ｐのうちのドレンパン６０の上端よりも下流側を、第１風通路領域Ａａと第２風通路領域Ａｂとを有する断面形状とすることによって、風通路Ｐの流路断面積が狭い部分を広げることにより圧力損失を効果的に低減できる。
【００７８】
なお、この第１実施形態では、風通路Ｐのうちのドレンパン６０の上端よりも下流側を、第１風通路領域Ａａと第２風通路領域Ａｂとを有するコの字形状の断面としたが、ケーシング内における熱交換器から吹出口までの風通路の下流側の少なくとも一部の断面が、ケーシングの一辺に沿う第１風通路領域と、第１風通路領域の両端部から仕切部側に向かって延びる第２風通路領域とを有するコの字形状であればよい。
【００７９】
また、上記吹出口１０が、ケーシング本体１の一辺に沿うように設けられた第１吹出口部１０ａと、その第１吹出口部１０ａの両端部から仕切板５０側に向かって延在するように設けられた第２吹出口部１０ｂとを有することによって、吹出口１０の面積を広げて、吹出口部分の圧力損失を低減でき、性能をさらに向上できる。
【００８０】
また、上記吹出口１０に対向する第１熱交換部４１の両端から延びる第２,第３熱交換部４２,４３とケーシング本体１の対向する辺との間隔を、第１熱交換部４１側から先端側に向かって徐々に狭くすることによって、コの字形状の熱交換器４０の両端間の開口側を開いて、第１熱交換部４１と第２熱交換部４２との連結部分および第１熱交換部４１と第３熱交換部４３との連結部分をケーシング本体１の内側に寄せることにより、その空いたスペースを第２吹出口部１０ｂに利用して、吹出口１０の面積を広げることが可能になる。
【００８１】
上記第１実施形態では、遠心ファンとしてターボファン３０を用いたが、シロッコファンなどの他の遠心ファンを用いてもよい。
【００８２】
〔第２実施形態〕
図１５はこの発明の第２実施形態の空気調和機の室内機のパネルやドレンパンなどを外した状態の下面図を示している。この第２実施形態の空気調和機の室内機は、コの字形状の熱交換器１４０を除いて第１実施形態の空気調和機の室内機と同一の構成をしており、図１〜図３を援用する。
【００８３】
この第２実施形態の空気調和機の室内機は、図１５に示すように、平面視においてコの字形状の熱交換器１４０を備えている。この熱交換器１４０は、ケーシング本体１の第１壁部１１に平行に配置された第１熱交換部１４１と、その第１熱交換部１４１の一端に連なる第２熱交換部１４２と、第１熱交換部１４１の他端に連なる第３熱交換部１４３とを備えている。第２熱交換部１４２は、第２壁部１２に対して平行になるように延在している。また、第３熱交換部１４３は、第３壁部１３に対して平行になるように延在している。
【００８４】
上記構成の室内機によれば、吹出口１０に対向する第１熱交換部１４１の両端から延びる第２,第３熱交換部１４２,１４３とケーシング本体１の対向する辺とを平行にすることによって、第１熱交換部１４１と第２熱交換部１４２との連結部分および第１熱交換部１４１と第３熱交換部１４３との連結部分を、ケーシング本体１の内側に寄せるように湾曲させることにより、その空いたスペースを第２吹出口部１０ｂに利用して、吹出口１０の面積を広げることが可能になる。第１熱交換部１４１と第２熱交換部１４２との連結部分および第１熱交換部１４１と第３熱交換部１４３との連結部分の曲率を大きくするほど、吹出口１０の面積を広げることができる。
【００８５】
上記第２実施形態の空気調和機の室内機は、第１実施形態の空気調和機の室内機と同様の効果を有する。
【００８６】
なお、ケーシング本体の形状によらず、第１熱交換部１４１の両端から延びる第２,第３熱交換部１４２,１４３が互いに平行になるように延在していればよい。
【００８７】
〔第３実施形態〕
この発明の第３実施形態の空気調和機の室内機は、熱交換器を除いて第１実施形態の空気調和機の室内機と同一の構成をしており、図１〜図５を援用する。
【００８８】
上記第１実施形態では、熱交換器４０は、第１熱交換部４１と、第１熱交換部４１の一端に連なる第２熱交換部４２と、第１熱交換部４１の他端に連なる第３熱交換部４３とを有する熱交換器４０を備えた室内機について説明したが、この第３実施形態の空気調和機の室内機は、第１熱交換部と第２熱交換部と第３熱交換部とが分割された熱交換器４０を備えている。
【００８９】
上記第３実施形態の空気調和機の室内機は、第１実施形態の空気調和機の室内機と同様の効果を有する。
【００９０】
上記第１〜第３実施形態では、ケーシング本体１とパネル２およびグリル３で構成されたケーシングを備えた室内機について説明したが、ケーシングの形状はこれに限らない。
【００９１】
また、上記第１〜第３実施形態では、コの字形状の熱交換器４０を備えた室内機について説明したが、熱交換器はこれに限らず、円弧形状やＶ字形状などの熱交換器であってもよい。
【００９２】
また、上記第１〜第３実施形態では、天井埋め込み型の室内機について説明したが、室内機はこれに限らず、天吊り型の室内機などにこの発明を適用してもよい。
【００９３】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【符号の説明】
【００９４】
１…ケーシング本体
１ａ…吸込口
２…パネル
３…グリル
４…フィルタ
５,６…配管接続部
７…ドレンソケット
８…電装品部
１０…吹出口
１１…第１壁部
１２…第２壁部
１３…第３壁部
１４…第４壁部
２０…フラップ
２０ａ…フラップ本体
２０ｂ…補助フラップ
３０…ターボファン(遠心ファン)
３１…モータ
３２…ベルマウス
４０,１４０…熱交換器
４１,１４１…第１熱交換部
４２,１４２…第２熱交換部
４３,１４３…第３熱交換部
５０…仕切板(仕切部)
６０…ドレンパン
６１…断熱材
７０…ドレンポンプ
Ｐ…風通路